(57)【要約】【課題】ＯＳＤ用データを背景色にかかわらず見やすく表示でき、ＯＳＤ用データの表示色を予め決めておくデータの削減を図る。【解決手段】背景色が表示されている画面に所望データをカラーオンスクリーンディスプレイにより重畳表示する画像処理において、前記画面に所望データを重畳表示するに際し該画面の所望データ表示位置の背景色の色信号を符号反転／非反転手段１２で反転させた補色によって表示する。これにより、ＯＳＤ用データが表示色を予め定めたデータを持っていなくても背景色から容易に識別可能な色で表示される。【選択図】  図１
2004165986.tif 000002
【特許請求の範囲】
【請求項１】
背景色が表示されている画面に所望データをカラーオンスクリーンディスプレイにより重畳表示する画像処理方法において、前記画面に前記所望データを重畳表示するに際し、該画面の前記所望データ表示位置の背景色の色信号を反転させた補色によって前記所望データを表示することを特徴とする画像処理方法。
【請求項２】
前記所望データを前記補色で表示するとき前記所望データ表示位置の背景色輝度と異なる輝度で該所望データを表示することを特徴とする請求項１に記載の画像処理方法。
【請求項３】
背景色が表示されている画面に所望データをカラーオンスクリーンディスプレイにより重畳表示する画像処理装置において、前記画面に前記所望データを重畳表示するに際し該画面の前記所望データ表示位置の背景色の色信号を反転させ補色によって前記所望データを表示させる符号反転手段を備えることを特徴とする画像処理装置。
【請求項４】
前記所望データを前記補色で表示するとき前記所望データ表示位置の背景色輝度と異なる輝度で該所望データを表示する輝度切替手段を備えることを特徴とする請求項３に記載の画像処理装置。
【発明の詳細な説明】
【０００１】
【発明の属する技術分野】
本発明は、文字や数字，キャラクタ等のカラーオンスクリーンディスプレイ（以下、ＯＳＤという。）を行う画像処理方法及びその装置に係り、特に、背景色が如何なる色であってもＯＳＤ用の文字等を見やすく表示させることができる画像処理方法及びその装置に関する。
【０００２】
【従来の技術】
デジタルスチルカメラやデジタルビデオカメラ等の電子機器には、撮像した画像をその場で見ることができるように、液晶等の表示装置が搭載されている。この表示装置には、撮像画像が表示される一方、電子機器の操作メニュー等もＯＳＤ機能によって撮像画像に重ねて表示される。
【０００３】
斯かる操作メニュー等のＯＳＤ用のデータは、例えば特開平５―３４７７６７号公報（特許文献１）に記載されている様に、予め決められた文字やキャラクタ等で構成され、その表示色データも予め決められメモリに登録されている。そして、ＯＳＤを行うときにメモリからＯＳＤ用データが読み出され、表示装置に表示される。例えば、図３に示す様に、画面１の中にＯＳＤ用データ２（図示の例では文字「Ａ」）が背景色中に表示される。
【０００４】
【特許文献１】
特開平５―３４７７６７号公報
【０００５】
【発明が解決しようとする課題】
ＯＳＤ用データを背景色となる撮像画像に重畳表示したとき、ＯＳＤ用データが背景色と異なる色であればＯＳＤ用データを画面上で識別可能である。しかし、背景色は決まった色ではなく、撮像画像の様にその時々で違う色となる場合には、背景色とＯＳＤ用データとが同一色や同系色となることがあり、見づらくなってしまう。また、撮像画像の様な背景色では、画面中の場所毎に背景色が異なるため、ＯＳＤ用データの色と背景色とが所々で同一色になることがあり、ＯＳＤ用データの表示が所々途切れて見づらくなることもある。
【０００６】
斯かる事態を回避するには、ＯＳＤ用データの表示色を多数用意してメモリに登録しておき、場所毎の背景色を検出して画面上で見やすい色のＯＳＤ用データの表示色を選択し表示すればよいことになる。しかし、この様なＯＳＤを実現するには、ＯＳＤ用の表示色データのデータ量が膨大になってしまい、メモリ容量が嵩み電子機器のコスト増になってしまうという問題が生じる。
【０００７】
本発明の目的は、ＯＳＤ用データを背景色にかかわらず見やすく表示することができ、しかも表示色データのデータ量を削減してメモリ容量を低減できる画像処理方法及びその装置を提供することにある。
【０００８】
【課題を解決するための手段】
上記目的は、背景色が表示されている画面に所望データをカラーオンスクリーンディスプレイにより重畳表示する画像処理において、前記画面に前記所望データを重畳表示するに際し、該画面の前記所望データ表示位置の背景色の色信号を反転させた補色によって前記所望データを表示することで、達成される。
【０００９】
この構成により、所望データの表示色を予め決めておかなくても、背景色から識別できる補色で画面に所望データが表示されるため、背景色にかかわらず所望データが識別可能に表示され、しかも表示色データの登録が不要なため、メモリ容量が削減できる。
【００１０】
上記目的は更に、前記所望データを前記補色で表示するとき前記所望データ表示位置の背景色輝度と異なる輝度で該所望データを表示することで、達成される。この構成により、背景色が無色であっても輝度の違いにより所望データを識別可能に表示することができる。
【００１１】
【発明の実施の形態】
以下、本発明の一実施形態について、図面を参照して説明する。
【００１２】
図１は、本発明の第１実施形態に係るＯＳＤ用画像処理装置の構成図である。このＯＳＤ用画像処理装置１０には、背景色のデータとして輝度信号Ｙ，色差信号Ｃｒ，Ｃｂが表示画面のピクセル毎に入力し、その他に、ＯＳＤ用の輝度データＹｏｓｄと、ＯＳＤスイッチ信号（ＯＳＤ‐ＳＷ）とが入力される。
【００１３】
ＯＳＤスイッチ信号とは、図３の画面１においてピクセル単位にオン／オフとなる信号であり、そのピクセルがＯＳＤ用データ２の領域中のピクセルを示す場合に「オン」、ＯＳＤ用データ２の外部領域のピクセルを示す場合に「オフ」となる信号である。
【００１４】
ＯＳＤ用画像処理装置１０は、輝度切替手段として機能するスイッチ手段１１と符号反転／非反転手段１２とを備える。スイッチ手段１１には、ＯＳＤ用輝度データＹｏｓｄと背景色データ中の輝度信号Ｙとが入力され、ＯＳＤスイッチ信号が「オン」のときＯＳＤ用輝度データＹｏｓｄが選択され、ＯＳＤスイッチ信号が「オフ」のとき背景色データ中の輝度信号Ｙが選択され、画像処理装置１０から輝度信号Ｙ’として出力される。
【００１５】
符号反転／非反転手段１２には、色差信号Ｃｒ，Ｃｂが入力され、ＯＳＤスイッチ信号が「オン」のとき色差信号Ｃｒ，Ｃｂが共に符号反転され、ＯＳＤスイッチ信号が「オフ」のとき色差信号Ｃｒ，Ｃｂが非反転され、画像処理装置１０から色差信号Ｃｒ’，Ｃｂ’として出力される。
【００１６】
斯かる構成の画像処理装置において、背景色として撮像画像が表示されており、今、図３に示す様に、ＯＳＤ用データとして文字Ａを表示する場合を説明する。
【００１７】
画面１の水平走査方向（矢印Ｈ方向）にＯＳＤ用画像処理がピクセル単位に進み、ＯＳＤスイッチ信号の示すピクセルがＯＳＤ用データである文字Ａの領域内に入らない領域では、ＯＳＤスイッチ信号は「オフ」となっている。このため、スイッチ手段１１は背景色データの輝度信号Ｙを選択し、符号反転／非反転手段１２は背景色データの色差信号Ｃｒ，Ｃｂをそのまま出力し、これが画面１に表示されるため、背景色（撮像画像等）がそのまま表示される。
【００１８】
ＯＳＤスイッチ信号の示すピクセルがＯＳＤで表示したい文字Ａの領域内に入ると、スイッチ手段１１はＯＳＤ用輝度データＹｏｓｄを選択し、符号反転／非反転手段１２は背景色データの色差信号Ｃｒ，Ｃｂを夫々符号反転して出力する。これにより、画面１には、文字Ａが背景色に対する補色で表示され、文字Ａの識別が容易となる。また、このとき背景色が無色であると色による文字Ａの識別はできないが、文字Ａの輝度（Ｙｏｓｄ）が周りの輝度（Ｙ）と異なるため、識別が容易となる。
【００１９】
この様に、本実施形態に係る画像処理装置１０では、背景色の色を使ってＯＳＤ用データの色を定めるため、背景色にかかわらずＯＳＤ用データの画面上の識別が容易となり、また、予めＯＳＤ用データの表示色を決めておく必要がないため、表示色データ用のメモリも不要となる。
【００２０】
尚、本実施形態では、ＯＳＤ用データの色差信号Ｃｒ，Ｃｂを共に符号反転したが、いずれか一方の色差信号だけを反転し他方の色差信号を固定値にするだけでも、容易にＯＳＤ用データの画面上での識別が可能となる。
【００２１】
図２は、本発明の第２実施形態に係るＯＳＤ用画像処理装置の構成図である。ＯＳＤ機能を搭載した電子機器によっては、色差信号がテレビジョンのセパレート信号の様に平衡変調されている場合がある。本実施形態は、この様な電子機器に搭載されるＯＳＤ用画像処理装置の構成図である。
【００２２】
本実施形態に係るＯＳＤ用画像処理装置２０は、スイッチ手段２１と、符号反転／非反転手段２２とを備え、これらは、ＯＳＤスイッチ信号にて制御される。スイッチ手段２１には、ＯＳＤ用輝度データＹｏｓｄと、背景色データの輝度信号Ｙとが入力され、ＯＳＤスイッチ信号のオンオフ状態によって第１実施形態と同様に一方が選択され、出力される。
【００２３】
符号反転／非反転手段２２の前段には、平衡変調器２３が置かれ、この平衡変調器２３に、背景色データの色差信号Ｃｒ，Ｃｂが入力される。平衡変調器２３は、サブキャリア信号ＳＣを受けて色差信号Ｃｒ，Ｃｂを１つのクロマ信号Ｃに変調し、符号反転／非反転手段２２に出力する。符号反転／非反転手段２２は、ＯＳＤスイッチ信号が「オン」のときクロマ信号Ｃを反転して出力させ、ＯＳＤスイッチ信号が「オフ」のときクロマ信号Ｃを非反転して出力させる。
【００２４】
この様に構成されたＯＳＤ用画像処理装置２０では、ＯＳＤスイッチ信号の示すピクセルがＯＳＤ用データである図３の文字Ａの領域内に入らない領域では、ＯＳＤスイッチ信号は「オフ」となっている。このため、スイッチ手段２１は背景色データの輝度信号Ｙを選択し、符号反転／非反転手段２２は背景色データのクロマ信号Ｃをそのまま出力し、これが画面１に表示されるため、背景色がそのまま表示される。
【００２５】
ＯＳＤスイッチ信号の示すピクセルが文字Ａの領域内に入ると、スイッチ手段２１はＯＳＤ用輝度データＹｏｓｄを選択し、符号反転／非反転手段２２は背景色データのクロマ信号Ｃを符号反転して出力する。これにより、画面１には、文字Ａが背景色に対する補色で表示され、文字Ａの識別が容易となる。また、このとき背景色が無色であると色による文字Ａの識別はできないが、文字Ａの輝度（Ｙｏｓｄ）が周りの輝度（Ｙ）と異なるため、識別が容易となる。
【００２６】
この様に、本実施形態に係るＯＳＤ用画像処理装置２０でも、背景色の色を使ってＯＳＤ用データの色を定めるため、背景色にかかわらずＯＳＤ用データの画面上の識別が容易となり、また、予めＯＳＤ用データの表示色を決めておく必要がないため、表示色データ用のメモリも不要となる。
【００２７】
【発明の効果】
本発明によれば、ＯＳＤ用データの表示色を予め決めておく必要がなく、このため、表示色用データが不要となってメモリ容量が削減でき、しかも、背景色にかかわらずＯＳＤ用データを容易に背景色から識別表示させることができる。
【図面の簡単な説明】
【図１】本発明の第１実施形態に係るＯＳＤ用画像処理装置の構成図である。
【図２】本発明の第２実施形態に係るＯＳＤ用画像処理装置の構成図である。
【図３】画面にＯＳＤ用データである文字Ａを表示した説明図である。
【符号の説明】
１０，２０  ＯＳＤ用画像処理装置
１１，２１  スイッチ手段（輝度切替手段）
１２，２２  符号反転／非反転手段
Ｙｏｓｄ    ＯＳＤ用輝度データ
Ｙ  背景色の輝度信号
Ｃｒ，Ｃｂ  背景色の色差信号
Ｃ  平衡変調後のクロマ信号
Ｙ’  ＯＳＤ用画像処理装置から出力される輝度信号
Ｃｒ’，Ｃｂ’  ＯＳＤ用画像処理装置から出力される色差信号
Ｃ’  ＯＳＤ用画像処理装置から出力されるクロマ信号
【図１】
2004165986.tif 000003
【図２】
2004165986.tif 000004
【図３】
2004165986.tif 000005